(57)【特許請求の範囲】
【請求項１】
撮像装置において、
光を映像信号に変換して出力する撮像素子と、
上記撮像素子からの映像信号の直流レベルを補正する直流増幅部と、
上記直流増幅部からのアナログ映像信号をディジタル映像信号に変換するＡ／Ｄ変換器と、
上記Ａ／Ｄ変換器のディジタル映像信号からサンプリングしたデータにより直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を上記直流増幅部に帰還する制御部とを備え、
上記直流増幅部は上記制御部から帰還された上記直流レベルの補正信号に基づいて上記映像信号の直流レベルを補正することを特徴とする撮像装置。
【請求項２】
撮像装置において、
光を映像信号に変換して出力する撮像素子と、
上記撮像素子からの映像信号の直流レベルを補正すると共に、増幅の利得が切り換えられる直流増幅部と、
上記直流増幅部からのアナログ映像信号をディジタル映像信号に変換するＡ／Ｄ変換器と、
上記Ａ／Ｄ変換器のディジタル映像信号からサンプリングしたデータにより直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を上記直流増幅部に帰還し、かつ操作状態に応じて上記直流増幅部の利得を切り換えるための制御信号を生成して、生成した切り換え制御信号を上記直流増幅部に供給する制御部とを備え、
上記直流増幅部は上記制御部から帰還された上記直流レベルの補正信号に基づいて上記映像信号の直流レベルを補正すると共に、上記制御部から供給された上記切り換え制御信号に基づいて増幅のための利得を切り換えることを特徴とする撮像装置。
【発明の詳細な説明】
【０００１】
【産業上の利用分野】
本発明は、映像信号の直流レベルの再生を行う直流再生部を備えた撮像装置に関する。
【０００２】
【従来の技術】
ビデオカメラ等では、撮像素子からのアナログ映像信号の直流成分が抑圧されると黒レベルが変動し、明るさの違いが不明確となり、カラー画像の色が忠実に再現できなくなる。そのため、直流成分を再生する必要がある。この直流分の再生のことを直流再生（Direct Current Restoration) という。この直流再生は、直流分（低周波の成分も含む）をサンプリングの過程で復元することにより行われる。例えば、映像信号が常に対象の明るさと対応したレベルになるようにするため撮像素子の映像信号のある部分をある一定の電圧に固定している。具体的には、撮像素子の有効走査領域の外側にオプティカルブラック部を設け、そのオプティカルブラック部を走査しているときの（すなわち、光が入っていない部分を走査するときの）映像信号のレベルを基準としてペデスタルレベル等を決めている。
【０００３】
このように、オプティカルブラック部を走査しているときの映像信号のレベル（黒レベル）をもって映像信号の基準レベルとする具体的な方法としては、同期信号期間に映像信号を増幅する増幅器の出力信号をサンプリングし、そのサンプリングした信号をホールド期間中上記増幅器にフィードバックすることにより絶対黒（黒基準）としてクランプする方法がある。
【０００４】
しかし、上述したオプティカルブラック部を設け、そこを走査している期間における映像信号のレベルを絶対黒を示す基準レベルとしてクランプする方法において、上記オプティカルブラック部に比較的近い位置に強い光を発する被写体（例えば太陽、電灯等）が存在する場合、その被写体からの光が周辺に漏れ、上記オプティカルブラック部にも一部光が入り、その光が光電変換されてしまう。すると、オプティカルブラック部を走査するときの映像信号のレベルが黒に対応するレベルがずれてしまい、そのずれたレベルが基準とされてしまい、基準が狂ってしまう。このように基準が狂うと映像信号が著しく見苦しいものとなってしまう。
【０００５】
そのため、特開昭６３−２１５２７４号の明細書及び図面にて、上記オプティカルブラック部を走査しているときの信号のレベルが変動しても映像信号の基準が変動しないようにする技術が開示されている。これは、オプティカルブラック部を走査しているときの信号のレベルが偽信号やノイズによって変動しその結果映像信号の基準が変動することを防止するため、従来有効走査領域の側方だけに設けられていたオプティカルブラック部を側方だけでなく、上あるいは下側にも設け、さらに映像信号の黒レベルの変動を検出する黒レベル変動検出回路を設け、通常時は水平同期信号期間にサンプリングした信号に基づいて黒レベルのクランプをし、該黒レベル変動検出回路が黒レベルの変動を検出したとき垂直同期信号期間にサンプリングした信号に基づいて黒レベルのクランプをするようにしたものである。
【０００６】
【発明が解決しようとする課題】
ところで、従来、上記直流再生は、従来いつも決まったサイクルで、同じフィードバック量で行っていた。直流成分（以下直流レベルという）が大きく変化したときや小さく変化したときの差を特に考慮していなかった。また、毎回、同じことを同じタイミングでやっているので、複雑に処理しようとしても処理時間が限られていてできなかった。
【０００７】
例えば、ビデオカメラでは電源がオンにされたり、ゲインの切り換えが行われた直後では、例えば黒レベルのような直流レベルはかなり大きく動いてしまう。このような状態のときには、直流再生もその変化に対応して行わなければ基準レベル（基準黒レベル）が誤ったものになってしまう。ここでいうゲインの切り換えとは、撮影環境が暗いときにゲインを上げて電気的信号を増幅し撮影環境を明るくしたり、逆に撮影環境が明るいときにゲインを下げて電気的信号を小さくし撮影環境を暗くしたりすることを切り換えることである。
【０００８】
また、フラッシュ等のように大きな量の光が入ってきたときには、基準にしているレベル自体が完全に狂ってしまう。この完全に狂った基準レベルを基に直流再生を行うと完全に誤ったゲインに切り換えてしまう。そして、それを正常なところに戻そうとすると、時間がかかってしまう。
【０００９】
さらに、直流再生は、直流レベルの変動があまりなくても少しづつ行われていた。すなわち、直流再生の量は、直流レベルの変動が少ないときでも少しずづ動いていることになり、ノイズの原因を作ってしまう。
【００１０】
そこで、本発明に係る撮像装置は、電源オン時又はゲイン切り換え時には素早く所望の直流再生を行い、フラッシュ等の光が入った場合には影響を受けなくし、直流再生が安定しているときはノイズの原因を抑えるような撮像装置の提供を目的とする。
【００１１】
【課題を解決するための手段】
本発明に係る撮像装置は、光を映像信号に変換して出力する撮像素子と、上記撮像素子からの映像信号の直流レベルを補正する直流増幅部と、上記直流増幅部からのアナログ映像信号をディジタル映像信号に変換するＡ／Ｄ変換器と、上記Ａ／Ｄ変換器のディジタル映像信号からサンプリングしたデータにより直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を上記直流増幅部に帰還する制御部とを備え、上記直流増幅部は上記制御部から帰還された上記直流レベルの補正信号に基づいて上記映像信号の直流レベルを補正することにより上記課題を解決する。
【００１２】
また、本発明に係る撮像装置は、光を映像信号に変換して出力する撮像素子と、上記撮像素子からの映像信号の直流レベルを補正すると共に、増幅の利得が切り換えられる直流増幅部と、上記直流増幅部からのアナログ映像信号をディジタル映像信号に変換するＡ／Ｄ変換器と、上記Ａ／Ｄ変換器のディジタル映像信号からサンプリングしたデータにより直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を上記直流増幅部に帰還し、かつ操作状態に応じて上記直流増幅部の利得を切り換えるための制御信号を生成して、生成した切り換え制御信号を上記直流増幅部に供給する制御部とを備え、上記直流増幅部は上記制御部から帰還された上記直流レベルの補正信号に基づいて上記映像信号の直流レベルを補正すると共に、上記制御部から供給された上記切り換え制御信号に基づいて増幅のための利得を切り換えることにより上記課題を解決する。
【００１４】
【作用】
制御部は、Ａ／Ｄ変換器のディジタル映像信号からサンプリングしたデータより直流レベルの変動の度合いを判断し、その判断結果に基づいてディジタル映像信号からデータをサンプリングするサンプリング周期を調整し、調整したサンプリング周期に応じて直流レベルの補正信号を生成し、生成した直流レベルの補正信号を直流増幅部に帰還する。直流増幅部は直流レベルの補正信号に基づいて映像信号の直流レベルを補正する。
【００１５】
【実施例】
以下、本発明に係る撮像装置の実施例を説明する。図１は、本発明に係る撮像装置の第１の実施例の回路構成を示すブロック回路図である。図１において、第１の実施例は、図示しないレンズを介して入射された光を映像信号に変換する撮像素子であるＣＣＤ１と、このＣＣＤ１からの映像信号の直流レベルを補正する直流増幅回路２と、この直流増幅回路２からの補正されたアナログ映像信号をディジタル映像信号に変換するアナログ／ディジタル（以下Ａ／Ｄという）変換器５と、このＡ／Ｄ変換器５からのディジタル映像信号からサンプリングデータを取り込み直流レベルを検出すると共にこの検出された直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を直流増幅回路２に帰還する制御部６を有して成る。そして、直流増幅回路２は、制御部６から帰還された直流レベルの補正信号に基づいて上記映像信号の直流レベルを補正する。
【００１６】
ここで、上記制御部６から出力されるのはディジタルのコントロールデータであり、該コントロールデータを上記直流増幅回路２に供給できるようにアナログのコントロール電圧に変換するのがＤ／Ａ変換器７である。
【００１７】
また、上記直流増幅回路２は、反転増幅器３と複数の抵抗等からなる。この反転増幅器３は入力端子４から基準電圧Ｖref が供給される非反転入力端子（＋）と、上記ＣＣＤ１に抵抗Ｒ1 を介して接続される反転入力端子（−）と、この反転入力端子（−）との間に抵抗Ｒ3 が挿入されている出力端子を持つ。つまり、この反転増幅器３は、出力を出力端子から抵抗Ｒ3 で反転入力端子（−）へフィードバック（帰還）して構成されている。そして、この出力端子は上記Ａ／Ｄ変換器５に接続されている。また、反転入力端子（−）には、抵抗Ｒ2 が接続されて、この抵抗Ｒ2 を介して反転増幅器３がＤ／Ａ変換器７に接続されている。
【００１８】
上記反転増幅器３は、反転入力端子（−）に供給される入力電圧が非反転入力端子（＋）に供給される基準電圧Ｖref より大きいと、Ａ／Ｄ変換器５に供給する出力電圧を小とし、また、入力電圧が基準電圧Ｖref よりも小さいときには、出力電圧を大とし、出力電圧の極性を反転する。
【００１９】
ここで、上記Ａ／Ｄ変換器５からは、ディジタル信号に変換された映像信号が出力端子８を介して図示しないエンコーダ等に供給され、例えばＮＴＳＣ方式に準拠した映像信号として取り出され、必要に応じてモニタ等に映しだされる。
【００２０】
次に、上述した構成を持つ第１の実施例の動作を説明する。上記ＣＣＤ１からの映像信号は、抵抗Ｒ1 を介して反転増幅器３の反転入力端子（−）に供給される。この反転入力端子（−）には、出力端子から抵抗Ｒ3 を介してフィードバック分も供給される。さらに、Ｄ／Ａ変換器７からのコントロール電圧も抵抗Ｒ2 を介して供給される。したがって、上記ＣＣＤ１からの映像信号が供給される上記直流増幅回路２は、直流レベルの補正とともに利得を可変した増幅が可能である。この直流増幅回路２で補正及び増幅されたアナログ映像信号の直流レベルは、上記Ａ／Ｄ変換器５でディジタル映像信号に変換され、出力端子８を介して図示しないエンコーダ等に供給されると共に、上記制御部６にも供給される。
【００２１】
上記制御部６は、上記Ａ／Ｄ変換器５からのディジタル映像信号からデータをサンプリングし、撮像素子の例えばオプティカルブラック部における黒レベルである直流レベルを検出する。そして、この検出した直流レベルの変動の度合いを判断し、その判断結果に基づいて上記直流増幅回路２に帰還する直流レベルの補正データを生成する。このとき、上記制御部６は、入力端子９から供給される直流レベルの許容変動範囲に関する情報に応じて上記直流レベルの変動の度合いを判断する。
【００２２】
そして、例えば、上記制御部６からの上記直流レベルの補正データは、Ｄ／Ａ変換器７によってアナログのコントロール電圧に変換され、抵抗Ｒ2 を介して上記反転増幅器３の反転入力端子（−）に供給される。
【００２３】
ここで、上記制御部６は、上記直流増幅回路２において直流レベルを補正するために、上記Ａ／Ｄ変換器５からのディジタル映像信号からサンプリングデータを取り込む。このサンプリングデータの取り込みは、サンプリング周期を制御することにより、調整できる。
【００２４】
次に、この第１の実施例の上記制御部６が上記Ａ／Ｄ変換器５からのディジタル映像信号からサンプリングデータを取り込む際のサンプリング周期の制御について図２のフローチャートを用いて説明する。図２は、制御部６の動作の詳細を説明するためのフローチャートである。
【００２５】
先ず、このフローが開始されるとステップＳ１では、初期設定を行う。この初期設定では、サンプリング周期となる水平走査のラインをとばす数ｈを０とし、また、フラッシュ等の異常光が無い（ｉ＝０）とする。また、後述するコントロールデータＤｏｕｔを０とする。
【００２６】
ステップＳ２では、上述したように水平走査のラインをとばす数ｈであるサンプリング周期でディジタル映像信号をサンプリングし、サンプリングデータＳnを得る。
【００２７】
ステップＳ３では、上記サンプリングデータＳn からある基準となるデータＲref を減算し、レベル変動データＤn を求める。そして、ステップＳ４に進む。
【００２８】
ステップＳ４では、上記レベル変動データＤn の絶対値｜Ｄn ｜とレベル変動の許容範囲内データｄとを比較し、｜Ｄn ｜がｄよりも小さいと判別（ＹＥＳを判別）したときにはレベル変動が安定しているとし、ステップＳ１４に進む。一方、｜Ｄn ｜がｄよりも大きいと判別（ＮＯを判別）したときにはレベル変動が不安定であるとし、ステップＳ５に進む。
【００２９】
ステップＳ５では、上記レベル変動データＤn の絶対値｜Ｄn ｜とレベル変動の正常動作の変動範囲内データＤとを比較し、｜Ｄn ｜がＤよりも大きいと判別（ＮＯを判別）したときには直流レベルの変動が著しいとし、ステップＳ６に進む。一方、｜Ｄn ｜がＤよりも小さいと判別（ＹＥＳを判別）したときにはレベル変動が正常動作の範囲内であるとし、ステップＳ１２に進む。
【００３０】
ステップＳ６では、直流レベルの変動が著しく変化したのは、電源オンとされたときであるか否かを電源オン後のレベル変動をある期間観ることにより判別する。ここで、ＹＥＳが判別されると電源オンとされたときであるとし、ステップＳ１２に進む。一方、ＮＯが判別されると電源オンのためではないとし、ステップＳ７に進む。
【００３１】
ステップＳ７では、直流レベルの変動が著しく変化したのは、ゲインアップ操作が行なわれたときであるか否かをゲインアップ操作後のレベル変動をある期間観ることにより判別する。ここで、ＹＥＳを判別するとゲインアップ操作が行われたときであり、ステップＳ１２に進む。一方、ＮＯを判別するとゲインアップ操作のためではないとし、ステップＳ８に進む。
【００３２】
ステップＳ８では、直流レベルの変動が著しく変化したのは、フラッシュ等の異常光のためであるか否かを判別する。ｉ＝０は異常光が無いことを示す。したがって、直流レベルの変調が著しく変化したのが異常光のためであるときには、ｉ＝０であるか否かというチェックは、ＮＯと判定される。また、異常光のためで無いときには、ｉ＝０であるか否かというチェックは、ＹＥＳと判定される。ここで、ＹＥＳを判別するとステップＳ１０に進む。一方、ＮＯを判別するとステップＳ９に進む。
【００３３】
ステップＳ９では、ステップＳ８の判別結果を受けて直流レベルの変動が著しく変化したのは異常光のためである（ｉ＝１）とし、ステップＳ１１に進む。また、ステップＳ１０は、ステップＳ８の判別結果を受けてｉ＝０とし、ステップＳ１２に進む。
【００３４】
ステップＳ１１では、直流レベルが大きく変動した原因がフラッシュ等の異常光であり、そのまま直流再生を行うと基準にしているレベル自体が壊れてしまい、さらに正常に戻すには時間がかかってしまうため、所定の垂直期間（フィールド）分だけサンプリングを行わない。
【００３５】
ステップＳ１２では、上記サンプリングデータＳn からある基準となるデータＲref を減算したレベル変動データＤn を上記制御部６から出力されるコントロールデータＤOUT から減算し、次のコントロールデータＤOUT  とする。このコントロールデータＤOUT  は、Ｄ／Ａ変換器７によりアナログ信号に変換されたのち、上記直流レベルの補正信号として直流増幅回路２に帰還される。直流増幅回路２は、上記直流レベルの補正信号に基づいて映像信号の直流レベルを補正する。
【００３６】
ステップＳ１３では、再度ｈ＝０、ｉ＝０という設定を行う。そして、ステップＳ１４に進む。
【００３７】
ステップＳ１４では、サンプリング周期となる水平走査のラインをとばす数ｈをｈ＋１とする。そして、ステップＳ１５に進む。
【００３８】
ステップＳ１５では、ｈが３垂直期間（フィールド）を超えたか否かを判別する。ここで、ｈが３フィールドを超えていない（ＮＯ）と判別するとステップＳ１７に進む。一方、ｈが３フィールドを超えた（ＹＥＳ）と判別するとステップＳ１６に進む。
【００３９】
ステップＳ１６では、サンプリング周期ｈを３フィールド分とする。そして、ステップＳ１７に進む。
【００４０】
ステップＳ１７では、ステップＳ１５において３フィールドに達していないと判別したｈ、又は、ステップＳ１６にて３フィールドとしたｈだけ処理を待つ。そして、ステップＳ２に戻る。
【００４１】
以上、図２に示したフローチャートによれば、上記制御部６は、直流レベルのレベル変動が正常動作の範囲内であるとき、またレベル変動が正常動作範囲内ではないが電源オン／オフ時、又は、ゲイン変更時であるときには毎ｈにてＡ／Ｄ変換器５のディジタル映像信号をサンプリングしている。また、レベル変動が正常動作範囲内ではなく、かつフラッシュ等の異常光によって生じたときには、サンプリングをしないでおく。さらに、直流レベルの変動がレベル変調の許容範囲内であり、安定しているときには、サンプリング周期を長くしている。
【００４２】
このように上記制御部６は、直流レベルの変動の度合いを判断し、その判断結果に基づいてサンプリング周期を調整し、上記Ａ／Ｄ変換器５からのディジタル映像信号からサンプリングデータを取り込む。
【００４３】
そして、制御部６は、直流レベルのレベル変動が正常動作の範囲内であるとき、またレベル変動が正常動作範囲内ではないが電源オン／オフ時又は、ゲイン変更時であるときには、毎ｈとなるように短く調整したサンプリング周期に応じてステップＳ１２にてコントロールデータＤｏｕｔを生成し、このコントロールデータＤｏｕｔをＤ／Ａ変換器７を介して直流増幅回路２に帰還している。直流増幅回路２は、コントロールデータＤｏｕｔに基づいて映像信号の直流レベルを補正する。したがって、本第１の実施例は、上記制御部６が直流レベルの変動の度合いを判断し、その判断結果に基づいて、サンプリングデータの取り込みの周期、すなわち、サンプリング周期を調整して、上記直流増幅回路２に供給する直流レベルの補正信号を生成し、直流増幅回路２に帰還するので、直流増幅回路２は直流レベルを補正することができる。
【００４４】
次に、本発明に係る撮像装置の第２の実施例について説明する。図３は、本発明に係る撮像装置の第２の実施例の回路構成を示すブロック回路図である。上記第１の実施例と同様の構成をとる各部については、同じ符号を用い、詳細な説明を省略する。
【００４５】
この図３において、この第２の実施例は、ＣＣＤ１と、このＣＣＤ１からの映像信号の直流レベルを補正すると共に、利得を切り換えながら増幅する直流増幅回路１０と、Ａ／Ｄ変換器５と、このＡ／Ｄ変換器５からのディジタル映像信号からサンプリングデータを取り込み直流レベルを検出すると共に、この検出された直流レベルの変動の度合いを判断し、その判断結果に基づいて上記ディジタル映像信号からデータをサンプリングするサンプリング周期を調整し、調整したサンプリング周期に応じて上記直流レベルの補正信号を生成し、生成した直流レベルの補正信号を直流増幅回路１０に帰還し、かつ操作状態に応じて直流増幅回路１０の利得を切り換えるための制御信号を生成して、生成した切り換え制御信号を直流増幅回路１０に供給する制御部６とを備える。そして、直流増幅回路１０は、制御部６から帰還された直流レベルの補正信号に基づいて映像信号の直流レベルを補正すると共に、制御部６から供給された切り換え制御信号に基づいて直流レベル増幅のための利得を切り換える。
【００４６】
上記直流増幅回路１０は、反転増幅器１１と複数の抵抗Ｒ11、Ｒ12、Ｒ13、Ｒ14及びスイッチＳW からなる。この反転増幅器１１は入力端子１２から基準電圧Ｖref が供給される非反転入力端子（＋）と、上記ＣＣＤ１に抵抗Ｒ11を介して接続される反転入力端子（−）と、この反転入力端子（−）との間には抵抗Ｒ13に対し並列に接続された抵抗Ｒ14とスイッチＳW よりなる並列回路が挿入されている出力端子を持つ。つまり、この反転増幅器１１は、出力を出力端子から抵抗Ｒ13とＲ14とスイッチＳW よりなる並列回路で反転入力端子（−）へフィードバック（帰還）して構成されている。そして、この出力端子は上記Ａ／Ｄ変換器５に接続されている。また、反転入力端子（−）には、抵抗Ｒ12が接続されて、この抵抗Ｒ12を介して反転増幅器１１がＤ／Ａ変換器７に接続されている。
【００４７】
上記反転増幅器１１は、反転入力端子（−）に供給される入力電圧が非反転入力端子（＋）に供給される基準電圧Ｖref より大きいと、Ａ／Ｄ変換器５に供給する出力電圧を小とし、また、入力電圧が基準電圧Ｖref よりも小さいときには、出力電圧を大とし、出力電圧の極性を反転する。このとき、上記反転増幅器１１の反転入力端子（−）と出力端子との間には、抵抗Ｒ13と、直列に接続された抵抗Ｒ14とスイッチＳW と、からなる並列回路が挿入されている。該スイッチＳW は、上記制御部６によって、その切り換え動作が制御される。つまり、上記制御部６の入力端子９に供給されるゲインアップ等の操作情報に応じて、スイッチＳW が切り換えられる。具体的には、上記入力端子９に入力された情報がゲインアップに関するものであれば、上記制御部６は、上記直流増幅回路１０のスイッチＳW をオフにし、上記反転増幅器１１の出力端子から反転入力端子にフィードバックさせる信号を増加させ、暗いところでも十分な撮影ができるようにする。
【００４８】
本第２の実施例は、上述した第１の実施例のように、上記制御部６が直流レベルの変動の度合いを判断し、その判断結果に基づいて、サンプリングデータの取り込みの周期、すなわち、サンプリング周期を調整する。そして、制御部６は、調整したサンプリング周期に応じて直流増幅回路１０に供給する直流レベルの補正信号を生成する。この直流レベルの補正信号は、直流増幅回路１０に帰還されるので、直流増幅回路１０は直流レベルを補正することができる。さらに、この第２の実施例は、制御部６が操作状態に応じて直流増幅回路１０における直流レベルの増幅の利得を切り換える。この利得の段階的な切り換えは、例えば、ゲインアップの利得を０ｄＢから９ｄＢまで上げたりするような切り換えのことである。
【００４９】
また、本第２の実施例の制御部６の動作の詳細は、上述の図２に示すフローチャートによって説明できる。
【００５０】
したがって、本第２の実施例は、上記制御部６が直流レベルの変動の度合いを判断し、その判断結果に基づいて、サンプリングデータの取り込みの周期、すなわち、サンプリング周期を調整して、上記直流増幅回路１０に供給する直流レベルの補正信号を生成し、直流増幅回路１０に帰還するので、直流増幅回路１０は直流レベルを補正することができる。さらに、この第２の実施例は、制御部６が操作状態に応じて直流増幅回路１０における直流レベルの増幅の利得を切り換える。
【００５１】
なお、本発明に係る撮像装置は、上記実施例にのみ限定されるのもでないことは、いうまでもなく、直流増幅回路の構成は反転増幅器を用いた他の構成でも可能である。
【００５２】
【発明の効果】
本発明に係る撮像装置は、制御部がＡ／Ｄ変換器のディジタル映像信号からサンプリングしたデータより直流レベルの変動の度合いを判断し、その判断結果に基づいてディジタル映像信号からデータをサンプリングするサンプリング周期を調整し、調整したサンプリング周期に応じて直流レベルの補正信号を生成し、生成した直流レベルの補正信号を直流増幅部に帰還する。そして、直流増幅部が直流レベルの補正信号に基づいて映像信号の直流レベルを補正するので、安定した直流再生を行うことができる。
また、本発明に係る撮像装置は、制御部がＡ／Ｄ変換器のディジタル映像信号からサンプリングしたデータより直流レベルの変動の度合いを判断し、その判断結果に基づいてディジタル映像信号からデータをサンプリンダするサンプリング周期を調整し、調整したサンデリング周期に応じて直流レベルの補正信号を生成し、生成した直流レベルの補正信号を直流増幅部に帰還する。さらに、制御部が操作状態に応じて直流増幅部の利得を切り換えるための制御信号を生成して、生成した切り換え制御信号を直流増幅部に供給する。そして、直流増幅部は、制御部から帰還された直流レベルの補正信号に基づいて映像信号の直流レベルを補正すると共に、制御部から供給された切り換え制御信号に基づいて増幅の利得を切り換えるので、操作状態に応じて直流増幅部の利得を切り換えることができる。
【図面の簡単な説明】
【図１】本発明に係る撮像装置の第１の実施例の構成を示す機能ブロック図である。
【図２】第１の実施例の制御部の動作を説明するためのフローチャートである。
【図３】第２の実施例の構成を示す機能ブロック図である。
【符号の説明】
１・・・・・ＣＣＤ
２・・・・・直流増幅回路
３・・・・・反転増幅器
５・・・・・アナログ／ディジタル（Ａ／Ｄ）変換器
６・・・・・制御部
７・・・・・ディジタル／アナログ（Ｄ／Ａ）変換器
【図１】
0003574668.tif 000002
【図２】
0003574668.tif 000003
【図３】
0003574668.tif 000004